(57)【特許請求の範囲】
【請求項１】
キャリアと同時にその振幅レベルを検出するためのキャリア検出回路において、
複数のキャリアを一つの集まりとしてキャリアの有無を検出し、検出したキャリアが存在する時間を積分するとともに、該積分出力をキャリア検出器の入力と比較することによりその振幅レベルを検出し、
検出したキャリアの集まりの時間幅の判定値として第１の判定値およびこの第１の判定値よりも大きな第２の判定値を設定して、前記検出したキャリアの集まりの時間幅が第１の判定値より大きく、かつ第２の判定値未満の場合には、その検出レベルを下げるかもしくは上げないように設定するとともに、検出したキャリアの集まりの時間幅が、第１の判定値以下もしくは第２の判定値以上の場合には、その検出レベルを上げるように設定したことを特徴とするキャリア検出回路。
【請求項２】
正規の入力信号コードにおける複数のキャリアの集まりの時間幅に対して、前記時間幅の所定の判定値を複数のキャリアの集まりの時間幅に対して１キャリア周期分だけ長く設定したことを特徴とする請求項１記載のキャリア検出回路。
【請求項３】
前記第１の判定値を１８０μｓｅｃとし、前記第２の判定値を６００μｓｅｃとしたことを特徴とする請求項１記載のキャリア検出回路。
【請求項４】
キャリアと同時にその振幅レベルを検出するためのキャリア検出回路において、
複数のキャリアを一つの集まりとしてキャリアの有無を検出し、検出したキャリアが存在する時間を積分するとともに、該積分出力をキャリア検出器の入力と比較することによりその振幅レベルを検出し、
前記キャリアが存在する時間を積分する回路の前段に、遅延回路を設けたことを特徴とするキャリア検出回路。
【請求項５】
前記遅延回路における遅延時間を１．２ｍｓｅｃ以上に設定したことを特徴とする請求項４記載のキャリア検出回路。
【請求項６】
前記遅延回路における遅延時間を９．０ｍｓｅｃ以上に設定したことを特徴とする請求項４記載のキャリア検出回路。
【請求項７】
前記遅延回路は、積分回路からなることを特徴とする請求項４記載のキャリア検出回路。
【請求項８】
請求項１〜７のうちのいずれか１項記載のキャリア検出回路を利用したことを特徴とする副搬送波回路の赤外線通信システムにおける受信回路。
【請求項９】
請求項１〜７のうちのいずれか１項記載のキャリア検出回路を利用したことを特徴とする赤外線リモコンにおける受信回路。
【発明の詳細な説明】
【０００１】
【発明の属する技術分野】
本発明は、赤外線リモコン信号受信機や、キャリアを含む信号の復調器等で用いるキャリア検出回路に関する。
【０００２】
【従来の技術】
従来より、キャリアによって変調された信号を使用する赤外線リモコン受信機等では、蛍光灯ノイズに対する誤動作の低減を行うためのキャリア検出回路が用いられている。このキャリア検出回路は、赤外線リモコン受信機の心臓部であり、受信機全体の特性に影響を与えている。
【０００３】
現在、キャリア検出回路に対して、以下の４つの性能が要求されている。
第１に、１００ｍｓｅｃ以上の長い放電時定数を持ち、安定した検出レベルを得ることが要求される。
第２に、集積化できる値の容量（コンデンサ）を使用して、第１の要求に係る放電時定数を持たせることが要求される。
第３に、集積化チップに対して、太陽光や白熱電球の光が回り込んだとしても、正常に動作することが要求される。
第４に、低コストとすることが要求される。特に、赤外線リモコン受信機の市場では、価格競争が激化しており、原価に対する要求は非常に厳しい状況となっている。
【０００４】
この点、従来の技術には、上述した各要求を同時に満足できるキャリア検出回路が存在しなかった。
すなわち、第１の要求を満足しようとすると、第２の要求をを満足することができない。また、第２の要求を満足しようとすると、第１の要求あるいは第３の要求を満足することができない。また、第３の要求を満足しようとすると、第４の要求を満足することができない。さらに、第４の要求を満足しようとすると、第２の要求を満足することができない。このように、従来の技術では、様々な設計上のアイテムがトレードオフとなっている。
【０００５】
図７に、従来より用いられている赤外線リモコン受信機の受信システム全体のブロック図を示す。
従来より用いられている赤外線リモコン受信機は、図７に示すように、フォトダイオードチップから入力される光電流信号を、集積化された受信チップで復調して出力し、その出力（ＯＵＴ）は、電子機器を制御するマイコン等に接続される。
【０００６】
光電流信号は、３０ＫＨｚ〜６０ＫＨｚ程度の予め定められたキャリアで変調されたＡＳＫ信号である。キャリア受信チップは、初段アンプ（ＨＡ）、２段目アンプ（２ｎｄＡＭＰ）、３段目アンプ（３ｒｄＡＭＰ）で増幅され、キャリアの周波数にあわせたバンドパスフィルタ（ＢＰＦ）でキャリア成分を取り出し、次段の検波回路でキャリアを検出し、積分回路でキャリアが存在する時間を積分して、ヒステリシスコンパレータ回路でキャリアの有無を判別して、キャリアの有無をディジタル出力する構成となっている。
この赤外線リモコン受信機において、入力信号電流（ｉ−ｉｎ）、バンドパスフィルタ（ＢＰＦ）の出力（ｂｐｆ＿ｏｕｔまたはＳｉｇ）、積分出力（Ｉｎｔ）、最終出力（ＯＵＴ）の信号波形は、図８に示すようになっている。
【０００７】
ところで、上述した各要求を満足するためのキャリア検出回路が出願されている（出願番号２０００−２３４９２６号）。
図９に、このキャリア検出回路の原理等価回路ブロック図を示し、図１０に、より具体的な等価回路ブロック図を示す。
【０００８】
このキャリア検出回路の基本システムとしては、図９に示すように、検波回路１０１でバンドパスフィルタの出力（Ｓｉｇ）からキャリア検出レベル（Ｄｅｔ）を生成し、このキャリア検出レベル（Ｄｅｔ）とバンドパスフィルタからの出力（Ｓｉｇ）とを比較し、積分回路１０２で積分してキャリアの有無を判別する。すなわち、検波回路１０１と積分回路１０２の組み合せで、キャリアを検出するシステムとなっている。
【０００９】
このシステムの中では、キャリア検出レベルを同時に検出している。このキャリア検出レベルを生成する回路では、図１０に示すように、キャリアの集まりを検出するための回路（検波器１）でキャリアの集まりの有無を検出し、そのキャリアの集まりが存在する時間を積分するための回路（積分器２）で積分し、積分された出力をキャリアの集まりを検出するレベルとする構成として、全体の受信システムにおいてキャリア検出のために必要なキャリア検出レベルを作出している。
このキャリアの集まりを検出する回路（検波器１）は、受信システム全体のキャリア検出には使用せず、受信システム全体のキャリア検出のための検出レベルの生成のみに使用される。
【００１０】
なお、図９，１０において、１は検波器、２は積分器、３はキャリア検出用電流出力差動コンパレータ、１−１は検波用高速増幅器、２−１は微少電流出力差動コンパレータ、１０１は検波回路、１０２は積分回路、Ｉ１は定電流源、Ｉｊは充電電流、Ｉｆは放電電流、Ｃ１，２は容量をそれぞれ示す。
【００１１】
このキャリア検出回路において、バンドパスフィルタ（ＢＰＦ）の出力（ｂｐｆ＿ｏｕｔまたはＳｉｇ）の信号波形は、図１１に示すようになっている。
ここで、バンドパスフィルタの出力（Ｓｉｇ）に対してキャリア検出レベル（Ｄｅｔ）がある。このキャリア検出レベル（Ｄｅｔ）は、信号の振幅レベルやキャリアの密度によって、後述する条件に基づいて決定されるレベルである。そして、キャリアの集まりを検出するための回路（検波器１）でキャリアの集まりの有無を検出した波形が、図１１に示す（Ｄｅｔ＿ｔ）の波形である。
【００１２】
さらに、キャリアの集まりが存在する時間を積分するための回路（積分器２）で積分する。これにより、図１１の最下段の拡大図に示す（Ｄｅｔ）の波形となる。キャリア検出レベルは、図１１に示す充電時間（ｔｏｎ）の総和と、放電時間（ｔｏｆｆ）の総和に関係するとともに、充放電電流の値に関係し、以下の条件式を満足するレベルで生成される。
【００１３】
【数１】
0003865646.tif 000002
【００１４】
上述したシステムにより、受信したデータ内のキャリアが存在する密度を検出して、キャリアの検出レベルを決定している。キャリアが存在する密度が高いと、序々に検出レベルが上昇してゆき、キャリア自体を検出できなくなるまで検出レベルが上昇してゆく。一方、キャリアが存在する密度が低い場合は、キャリア検出レベルは上昇せず、初期状態を保持するようになっている。
【００１５】
すなわち、キャリアが存在する密度が高いと、不要なノイズそのものであるか、不要なノイズを多く含んだ信号であると仮定して、キャリア検出レベルを上昇させ、キャリア検出レベルを最適化するシステムとなっている。このキャリア検出レベルの最適化の概念が、図１２、図１３において、バンドパスフィルタ（ＢＰＦ）の出力（ｂｐｆ＿ｏｕｔまたはＳｉｇ）の信号波形として示されている。なお、図１２に示す信号波形が、キャリアが存在する密度が高い場合であり、図１３に示す信号波形が、キャリアが存在する密度が低い場合である。
【００１６】
【発明が解決しようとする課題】
しかしながら、上述した従来のキャリア検出回路においては、キャリアが存在する密度が低くて、正規のリモコン信号コードと同等以下の密度の蛍光灯ノイズや外乱ノイズが入力されると、キャリアを検出して誤パルスを発生させてしまうという問題があった。
【００１７】
このような誤パルスの発生を低減するために、充電電流Ｉｊと放電電流Ｉｆの比率を高く設定して、キャリア密度が低いノイズが入力されたときに検出レベルが上昇することにより、検出感度を低下させるようにする方法もある。
しかしながら、このような方法を採用すると、正規の信号コードに対しても同様に感度が低下したり、正規の信号コードを連続的に入力すると序々に感度が低下してゆき、コード列の後半でキャリアが検出できなくなる等の新たな問題が発生する。
【００１８】
本発明は、上述した事情に鑑み提案されたもので、ノイズによる誤パルスの発生がなく、安定した検出レベルを得ることが可能なキャリア検出回路、およびこれを用いた受信回路を提供することを目的とする。
【００１９】
【課題を解決するための手段】
本発明に係るキャリア検出回路は、キャリアと同時にその振幅レベルを検出するためのキャリア検出回路において、複数のキャリアを一つの集まりとしてキャリアの有無を検出し、検出したキャリアが存在する時間を積分するとともに、該積分出力をキャリア検出器の入力と比較することによりその振幅レベルを検出し、検出したキャリアの集まりの時間幅の判定値として第１の判定値およびこの第１の判定値よりも大きな第２の判定値を設定して、前記検出したキャリアの集まりの時間幅が第１の判定値より大きく、かつ第２の判定値未満の場合には、その検出レベルを下げるかもしくは上げないように設定するとともに、検出したキャリアの集まりの時間幅が、第１の判定値以下もしくは第２の判定値以上の場合には、その検出レベルを上げるように設定したことを特徴とするものである。
【００２０】
このような構成とすることにより、正規の信号コードのキャリア密度と、キャリア密度の変化の周期が短いインバータ蛍光灯ノイズや一般の６０Ｈｚ蛍光灯ノイズのキャリア密度とを区別することができる。
【００２３】
また、本発明に係るキャリア検出回路は、正規の入力信号コードにおける複数のキャリアの集まりの時間幅に対して、前記時間幅の所定の判定値を複数のキャリアの集まりの時間幅に対して１キャリア周期分だけ長く設定したことを特徴とするものである。
【００２４】
このような構成とすることにより、ＢＰＦ出力による波形歪や、リモコン送信機のキャリアの不安定要因による時間的誤差が考慮されて、正規の信号コードのキャリア密度と、キャリア密度の変化の周期が長いインバータ蛍光灯ノイズのキャリア密度とを区別する際の精度を高めることができる。
【００２７】
また、本発明に係るキャリア検出回路は、前記第１の判定値を１８０μｓｅｃとし、前記第２の判定値を６００μｓｅｃとすることを特徴とするものである。
【００２８】
このような構成とすることにより、現在使用されている赤外線リモコン信号コードにおけるほとんど全ての信号コードに対して、感度が低下しないように設定しつつ、それ以外のノイズを区別することができる。
【００２９】
また、本発明に係るキャリア検出回路は、キャリアと同時にその振幅レベルを検出するためのキャリア検出回路において、
複数のキャリアを一つの集まりとしてキャリアの有無を検出し、検出したキャリアが存在する時間を積分するとともに、該積分出力をキャリア検出器の入力と比較することによりその振幅レベルを検出し、
前記キャリアが存在する時間を積分する回路の前段に、遅延回路を設けたことを特徴とするものである。
【００３０】
このような構成とすることにより、上述した各キャリア検出回路を容易に実現することができる。
【００３１】
また、本発明に係るキャリア検出回路は、前記遅延回路における遅延時間を１．２ｍｓｅｃ以上に設定し、あるいは、９．０ｍｓｅｃ以上に設定することを特徴とするものである。
【００３２】
このように、遅延時間を１．２ｍｓｅｃ以上に設定することにより、正規の信号コードのデータ部、および一番長いキャリア時間について区別することができるため、現在使用されている赤外線リモコン信号コードのほとんど全ての信号コードに対して、感度が低下しないように設定しつつ、それ以外のノイズを区別することができる。また、遅延時間を９．０ｍｓｅｃ以上に設定することにより、正規の信号コードのヘッダー部、および一番長いキャリア時間について区別することができるため、現在使用されている赤外線リモコン信号コードのほとんど全ての信号コードに対して、感度が低下しないように設定しつつ、それ以外のノイズを区別することができる。
【００３３】
また、本発明に係るキャリア検出回路は、前記遅延回路を積分回路により構成することを特徴とするものである。
【００３４】
このような構成とすることにより、前記キャリア検出回路を容易に実現することができる。
【００３５】
また、本発明に係る受信回路は、上述したいずれかのキャリア検出回路を利用して、副搬送波回路の赤外線通信システム、あるいは赤外線リモコンに適用したことを特徴とするものである。
【００３６】
【発明の実施の形態】
以下、図面に示す具体的な実施例に基づいて、本発明に係るキャリア検出回路の実施形態を説明する。
【００３７】
なお、以下に説明する図面において、１は検波器、２は積分器、３はキャリア検出用電流出力差動コンパレータ、４はパルス幅判定回路、５，６はＢｕｆｆｅｒ回路、７は遅延回路、１０１は検波回路、１０２は積分回路、１−１は検波用高速増幅器、２−１は微少電流出力差動コンパレータ、２−２はラテラルＰＮＰトランジスタによるカレントミラー回路、２−３はラテラルＰＮＰトランジスタによる光電流補償カレントミラー回路、６−１はラテラルＰＮＰトランジスタによるカレントミラー回路、６−２はラテラルＰＮＰトランジスタによる光電流補償カレントミラー回路、Ｃ１〜ｎは容量、ＱＰ１〜ｎはＰＮＰトランジスタ、ＱＮ１〜ｎはＮＰＮトランジスタ、Ｉ１は定電流源、Ｉｊは充電電流、Ｉｆは放電電流、Ｉｊ０，Ｉｆ０は充放電生成用定電流源、Ｉｊ１〜ｎ，Ｉｆ１〜ｎは各部の電流値をそれぞれ示す。
【００３８】
＜実施例１＞
図１は、本発明の実施例１に係るキャリア検出回路を示すブロック図である。
本発明の実施例１に係るキャリア検出回路は、図１に示すように、検波回路１０１でバンドパスフィルタの出力（Ｓｉｇ）からキャリア検出レベル（Ｄｅｔ）を生成し、このキャリア検出レベル（Ｄｅｔ）とバンドパスフィルタからの出力（Ｓｉｇ）とを比較し、積分回路１０２で積分してキャリアの有無を判別する。このように、検波回路１０１と積分回路１０２の組み合せで、キャリアを検出するシステムとなっている点では、従来のキャリア検出回路と同様である。
【００３９】
実施例１に係るキャリア検出回路の特徴は、従来のシステムに加えて、さらにキャリア検出の判別条件をつけて、より高性能化を実現した点にある。
すなわち、図１に示すように、キャリアが存在する幅を検出している検波器１のＶＣ１から信号を引き出し、パルス幅が所定の判定値未満であれば、次段の積分回路である微少電流出力差動コンパレータ２−１を動作させずに、ＶＣ２を充電しないようにして、キャリア検出レベルが上昇しないようにする。
【００４０】
これにより、パルス幅が所定の判定値以上でなければキャリア検出レベルが上昇しない。このため、所定の判定値未満の正規の信号コードによって、キャリア検出レベルが上昇しないように設定することができ、正規の信号コードに対しては感度を低下させることなく、ＶＣ２の充電電流Ｉｊと放電電流Ｉｆの比率を高く設定して、全体的にキャリア密度が低いノイズが入力されたときに検出レベルが上昇して、検出感度を低下させることができ、ノイズによる誤パルス発生を低減することができる。
【００４１】
これに対して、パルス幅を判定していない従来の技術においては、充電電流Ｉｊと放電電流Ｉｆの比率を高く設定して、キャリア密度が低いノイズが入力されたときに検出レベルが上昇して、検出感度が低下させるようにすると、正規の信号コードに対しても同様に感度が低下したり、正規の信号コードを連続的に入力すると序々に感度が低下してゆき、コード列の後半でキャリアが検出できなくなる等の問題があったことは、先に説明したとおりである。
【００４２】
ここで、「パルス幅の判定値」の設定は、現在使用されている正規のリモコン信号のコードでほぼ最小である１８０μｓｅｃや、一般的に多く使用されている５６０μｓｅｃ等の値に設定されるべきである。しかしながら、パルス幅の検出は、受信回路内で行われるため、非常に多くの誤差を含む。そのため、１キャリア分以上のマージンを取って設定する必要がある。
また、ＶＣ１の次段の回路を動作させずに、ＶＣ２を充電しないようにするためには、図２に示すように、入力部をＧＮＤとショートしてしまえばよい。
なお、図２は、先に説明した従来のキャリア検出回路（出願番号２０００−２３４９２６号）におけるキャリア検出レベル生成部の電気回路部を参照している。
【００４３】
＜実施例２＞
図３は、本発明の実施例２に係るキャリア検出回路を示すブロック図である。
実施例２に係るキャリア検出回路は、図３に示すように、キャリアが存在する幅を検出しているＶＣ１から引出した信号に対して、検出したパルス幅が第１の判定値より大きく、かつ第２の判定値未満である場合にのみ、次段の積分回路である微少電流出力差動コンパレータ２−１を動作させずに、ＶＣ２に充電されないようにして、キャリア検出レベルが上昇しないようにする。
【００４４】
上述した「第２の判定値未満」という条件の効果については、図１を用いて説明した実施例１と同様であるが、「第１の判定値より大きく」という条件については、以下の意味と効果がある。
【００４５】
現在使用されている正規のリモコン信号のコードは、おおよそ、所定のパルス幅の範囲内で使用されており、極端に短いパルス幅を使用することはほとんどない。したがって、極端に短いパルス幅を検出した場合には、ノイズであると仮定し、キャリア検出レベルを上昇させて、感度を低下させる。
【００４６】
設定されるべきパルス幅は、「第１の設定値」が１８０μｓｅｃであり、「第２の設定値」が６００μｓｅｃである。このような設定値とすることにより、ほとんど全ての赤外線リモコンに対応することがきる。１キャリア分以上のマージンを取って設定する必要があることは、先に説明した通りである。
【００４７】
＜実施例３＞
図４は、本発明の実施例３に係るキャリア検出回路を示すブロック図である。
実施例３に係るキャリア検出回路は、図４に示すように、キャリアが存在するパルス幅を検出しているＶＣ１からの信号を、一旦、遅延回路７を介して次段ヘ伝えるシステムとなっている。
【００４８】
ＶＣ１で検出したパルス幅が、遅延回路７の遅延時間以下のときは、次段ヘ信号が伝わらずに、ＶＣ２が充電されないようにしている。これにより、先に図１を用いて説明した実施例１と同様に、パルス幅が所定の判定値以上でなければキャリア検出レベルが上昇しない。このため、所定の判定値未満の正規の信号コードによって、キャリア検出レベルが上昇しないように設定することができ、正規の信号コードに対しては感度を低下させることなく、ＶＣ２の充電電流Ｉｊと放電電流Ｉｆの比率を高く設定して、全体的にキャリア密度が低いノイズが入力されたときに検出レベルが上昇して、検出感度を低下させることができ、ノイズによる誤パルス発生を低減することができる。
【００４９】
ここで、遅延回路７の遅延時間を１．２ｍｓｅｃ以上に設定することにより、正規の信号コードのデータ部、および一番長いキャリア時間について区別することができるため、現在使用されている赤外線リモコン信号コードのほとんど全ての信号コードに対して、感度が低下しないように設定しつつ、それ以外のノイズを区別することができる。
【００５０】
また、遅延回路７の遅延時間を９ｍｓｅｃ以上に設定することにより、正規の信号コードのヘッダー部、および一番長いキャリア時間について区別することができるため、現在使用されている赤外線リモコン信号コードのほとんど全ての信号コードに対して、感度が低下しないように設定しつつ、それ以外のノイズを区別することができる。
【００５１】
＜実施例４＞
図５は、本発明の実施例４に係るキャリア検出回路を示すブロック図である。
実施例４に係るキャリア検出回路は、図５に示すように、遅延回路７を積分回路により構成したものである。このような構成とすることにより、容易に遅延回路７を実現することができる。
【００５２】
図６に、バンドパスフィルタ（ＢＰＦ）出力ｂｐｆ＿ｏｕｔまたはＳｉｇの波形概念を示す。
図６に示すように、ＶＣ１の信号を積分する遅延回路７において、ＶＣ３のレベルが閾値を超えないと、次段ヘパルスが伝わらないため、遅延時間以下の幅のパルスに対して、キャリア検出レベルが上昇しないことになる。
【００５３】
赤外線リモコン等の光をセンスするデバイスにおいては、概して、デバイスに光が入射したり、回り込んだりして、集積回路の寄生フォトダイオードを動作させてしまうことを避けられない。この場合、特に、ＰＮＰトランジスタは注意が必要である。
この点、本発明のキャリ検出回路では、先に従来の技術として説明したキャリア検出回路（出願番号２０００−２３４９２６号）と同様の回路的対策が施されるべきであることは言うまでもない。
【００５４】
＜受信回路＞
上述した各実施例に係るパルス検出回路は、副搬送波回路の赤外線通信システムにおける受信回路、あるいは、赤外線リモコンにおける受信回路に用いることができる。
【００５５】
【発明の効果】
以上説明したように、本発明に係るパルス検出回路では、正規の信号コード以外のパルス幅を検出したときにのみ、キャリア検出レベルが上昇するように構成している。
したがって、正規の信号コードによって、キャリア検出レベルが上昇しないように設定することができ、正規の信号コードに対しては感度を低下させることなく、キャリア検出レベル部の充電電流と放電電流の比率を高く設定して、全体的にキャリア密度が低いノイズが入力されたときに検出レベルが上昇して、検出感度を低下させることができ、ノイズによる誤パルスの発生を低減することができる。
【００５６】
これに対して、パルス幅を判定していない従来の技術においては、充電電流と放電電流の比率を高く設定して、キャリア密度が低いノイズが入力されたときに検出レベルが上昇して、検出感度が低下させるようにすると、正規の信号コードに対しても同様に感度が低下したり、正規の信号コードを連続的に入力すると序々に感度が低下してゆき、コード列の後半でキャリアが検出できなくなる等の不都合があった。本発明に係るパルス検出回路では、このような不都合を改善するという優れた効果を奏することができる。
【図面の簡単な説明】
【図１】本発明の実施例１に係るキャリア検出回路を示すブロック図である。
【図２】キャリア検出レベルを作出する充放電積分回路の一例を示すブロック図である。
【図３】本発明の実施例２に係るキャリア検出回路を示すブロック図である。
【図４】本発明の実施例３に係るキャリア検出回路を示すブロック図である。
【図５】本発明の実施例４に係るキャリア検出回路を示すブロック図である。
【図６】本発明の実施例４におけるキャリア検出部の波形を示す説明図である。
【図７】赤外線リモコン受信機の受信システム全体の等価回路を示すブロック図である。
【図８】一般的な受信システムの信号処理波形を示す説明図である。
【図９】従来のキャリア検出回路の原理等価回路を示すブロック図である。
【図１０】従来のキャリア検出回路のより具体的な等価回路を示すブロック図である。
【図１１】従来のキャリア検出レベルの一例を示す説明図である。
【図１２】Ｈｉ−Ｄｕｔｙ信号が入力された場合のキャリア検出レベルのイメージを示す説明図である。
【図１３】Ｌｏｗ−Ｄｕｔｙ信号が入力された場合のキャリア検出レベルのイメージを示す説明図である。
【符号の説明】
１  検波器
２  積分器
３  キャリア検出用電流出力差動コンパレータ
４  パルス幅判定回路
５、６  Ｂｕｆｆｅｒ回路
７  遅延回路
１０１  受信システム全体の中の検波回路（キャリア検出レベル検出回路）
１０２  受信システム全体の中の積分回路
１−１  検波用高速増幅器
２−１  微少電流出力差動コンパレータ
２−２  ラテラルＰＮＰトランジスタによるカレントミラー回路
２−３  ラテラルＰＮＰトランジスタによる光電流補償カレントミラー回路
６−１  ラテラルＰＮＰトランジスタによるカレントミラー回路
６−２  ラテラルＰＮＰトランジスタによる光電流補償カレントミラー回路
Ｃ１〜ｎ  容量
ＱＰ１〜ｎ  ＰＮＰトランジスタ
ＱＮ１〜ｎ  ＮＰＮトランジスタ
Ｉ１  定電流源
Ｉｊ  充電電流
Ｉｆ  放電電流
Ｉｊ０、Ｉｆ０  充放電生成用定電流源
Ｉｊ１〜ｎ  各部の電流値
Ｉｆ１〜ｎ  各部の電流値
【図１】
0003865646.tif 000003
【図２】
0003865646.tif 000004
【図３】
0003865646.tif 000005
【図４】
0003865646.tif 000006
【図５】
0003865646.tif 000007
【図６】
0003865646.tif 000008
【図７】
0003865646.tif 000009
【図８】
0003865646.tif 000010
【図９】
0003865646.tif 000011
【図１０】
0003865646.tif 000012
【図１１】
0003865646.tif 000013
【図１２】
0003865646.tif 000014
【図１３】
0003865646.tif 000015